(57)【要約】【課題】映像音声データを格納した記録メディアのバックアップの際に、記録メディアをバックアップ装置にセットしなければ、バックアップの必要性を判定できない。【解決手段】記録メディアに、非接触ＩＣを搭載し、撮影などのデータ記録時に、使用容量や最終更新ファイルの更新日時などの情報を格納し、バックアップ装置等、記録メディア上の映像音声データを利用または格納する機器は、記録メディアをスロットに挿入する前に、非接触ＩＣから記録メディアの内容に関する情報を取得する手段を備えることで、スロットへの挿入前に挿入の必要性を判定することが可能となる。【選択図】図３
2007329705.tif 000002
【特許請求の範囲】
【請求項１】
記録媒体と無線通信を行い、前記記録媒体及び前記記録媒体に記録されたデータに関する管理情報を受信する無線通信ステップと、
前記管理情報を記憶する記憶ステップと、
前記無線通信ステップで受信した前記管理情報と、前記記憶ステップで記憶した管理情報とを比較した結果に基づいて、前記記録媒体のバックアップが必要かどうかを判断する判断ステップとを備えた記録メディア管理方法。
【請求項２】
前記判断ステップでの判断結果を表示する表示ステップをさらに備えた、請求項１記載の記録メディア管理方法。
【請求項３】
前記記録媒体を初期化する際に、前記記録媒体に対して初期化状態を示す情報を管理情報として保存する初期化ステップをさらに備えた、請求項１記載の記録メディア管理方法。
【請求項４】
記録媒体と無線通信を行い、前記記録媒体及び前記記録媒体に記録されたデータに関する管理情報を受信する第１の無線通信手段と、
前記管理情報を記憶する第１の記憶手段と、
前記第１の無線通信手段が前記記録媒体から受信した前記管理情報と、前記第１の記憶手段に記憶された管理情報とを比較した結果に基づいて、前記記録媒体のバックアップが必要かどうかを判断する制御手段とを備えた記録メディア管理装置。
【請求項５】
前記制御手段の判断結果を表示する表示手段をさらに備えた、請求項４記載の記録メディア管理装置。
【請求項６】
前記記録媒体を初期化する際に、前記記録媒体に対して初期化状態を示す情報を保存する初期化手段をさらに備えた、請求項４記載の記録メディア管理装置。
【請求項７】
記録媒体にデータを記録する記録装置と、前記記録媒体に記録された前記データをバックアップすべきかどうか管理する記録メディア管理装置とを備えた記録メディア管理システムであって、
前記記録装置は、
前記記録媒体に前記データを記録するデータ記録手段と、
前記記録媒体に前記データを記録した際に、前記記録媒体及び前記記録媒体に記録された前記データに関する管理情報を記録する管理情報記録手段と、を備え、
前記記録メディア管理装置は、
前記記録媒体と無線通信を行い、前記記録媒体に記録された管理情報を受信する第１の無線通信手段と、
前記管理情報を記憶する第１の記憶手段と、
前記第１の無線通信手段が前記記録媒体から受信した前記管理情報と、前記第１の記憶手段に記憶された管理情報とを比較した結果に基づいて、前記記録媒体のバックアップが必要かどうかを判断する制御手段と、を備え、
前記記録媒体は、
前記データを保持するための第２の記憶手段と、
前記管理情報を保持するための第３の記憶手段と、
前記記録メディア管理装置と無線通信を行い、前記管理情報を送信する第２の無線通信手段と、を備えた、
記録メディア管理システム。
【発明の詳細な説明】
【技術分野】
【０００１】
本発明は、半導体メモリなどの記録メディアに記録されたデータをバックアップする装置における記録メディアの管理方法に関する。
【背景技術】
【０００２】
従来、テープや光ディスク、半導体メモリなどの記録メディアに記録されたデータの内容に関する情報、例えば記録されたファイルの最終更新日時や使用容量等の情報を得るには、記録メディアを機器に挿入して内容を確認していた（例えば、特許文献１参照。）。
【特許文献１】特開平４−２５３２９０号公報
【発明の開示】
【発明が解決しようとする課題】
【０００３】
しかしながら従来の記録メディア管理方法では、記録メディアに記録されたデータの内容に関する情報を得るには、記録メディアを機器に挿入しなければ内容を確認することができず、多数の記録メディアを扱うような場合には作業が煩雑になるという課題があった。
【０００４】
例えば放送局の取材現場等では、多数の記録メディアを頻繁に入れ替えながら撮影してはバックアップを行う、といった作業を繰り返す事も多く、記録メディアの内容確認や、バックアップ済みかどうかの確認のために、都度記録メディアを機器に挿入するのは非効率的であった。
【０００５】
本発明は上記課題に鑑み、機器に挿入せずとも容易に記録メディアの内容に関する情報を得ることができる方法を提供することを目的とする。
【課題を解決するための手段】
【０００６】
上記課題を解決するために本発明の記録メディア管理方法は、記録媒体と無線通信を行い、前記記録媒体及び前記記録媒体に記録されたデータに関する管理情報を受信する無線通信ステップと、前記管理情報を記憶する記憶ステップと、前記無線通信ステップで受信した前記管理情報と、前記記憶ステップで記憶した管理情報とを比較した結果に基づいて、前記記録媒体のバックアップが必要かどうかを判断する判断ステップとを備える。
【発明の効果】
【０００７】
本発明の記録メディア管理方法は、記録メディアの内容に関する情報を、より容易に取得する手段を提供することにより、機器のスロットへの挿入前に記録メディアのバックアップ情報や残り容量といった情報を得ることができ、挿入の必要性を判定することが可能となるため、取材などの慌ただしい業務中における記録メディア管理を効率化する事が出来る。
【発明を実施するための最良の形態】
【０００８】
（実施の形態１）
以下に、図面を参照しながら本発明の実施の形態１について述べる。なお、同一の構成要素は異なる図面であっても同じ番号で示されている。
【０００９】
図１は、記録装置としてのビデオカメラでの映像音声データ記録に関する構成図である。ビデオカメラ１０１にはカードスロット１０２が設けられており、映像音声の記録時には、メモリカード１０４をカードスロット１０２に挿入し、メモリカード１０４に対して記録を行うようになっている。メモリカード１０４は、メモリカード１０４内部の管理情報を記憶すると共に、外部の非接触ＩＣ読み書き手段との無線通信が可能な非接触ＩＣ１０３を備えている。
【００１０】
図２は、本実施の形態で使用される記録媒体としてのメモリカードに関するブロック図である。メモリカード１０４は、ビデオカメラ１０１のカードスロット１０２と接続して映像音声データを入出力するコネクタ２０４、映像音声データを記録再生するメモリ素子２０１、管理情報を保持すると共に、外部と無線通信を行う非接触ＩＣ１０３、非接触ＩＣ１０３に対して管理情報を読み書きする管理情報読み書き手段２０３、コネクタ２０４経由で外部とのデータ授受を行い、メモリ素子２０１及び非接触ＩＣ１０３への読み書きの制御を行うコントローラ２０２とを備えている。メモリカード１０４は、コネクタ２０４を通してカードスロット１０２を持つ機器に接続される。通常使用される映像音声データ２０６は、コントローラ２０２の制御によりコネクタ２０４を通して伝送される。その際、管理情報への読み書き要求が行われた場合には、管理情報読み書き手段２０３によって管理情報が非接触ＩＣ１０３に記憶される。
【００１１】
図３はビデオカメラ１０１のカードスロットにメモリカード１０４を挿入して使用している状態を示すブロック図である。ビデオカメラ１０１全体を制御するシステム制御手段３０１は、カード読み書き手段３０３を通じてカードスロット１０２に挿入されたメモリカード１０４と接続される。映像音声データ３０２は、カード読み書き手段３０３およびカードスロット１０２を通してメモリカード１０４に対して読み書きされる。またシステム制御手段３０１は、カードスロットに設けられた非接触ＩＣ読み書き手段３０４を制御してメモリカード１０４の非接触ＩＣ１０３と通信し、管理情報３０５を非接触ＩＣ１０３に対して読み書きする。本実施の形態では、メモリカード１０４の使用容量、最終更新ファイルの更新日時を格納したインデックスファイルの内容を管理情報として非接触ＩＣ１０３に記録する。なお、インデックスファイルの内容の代わりに、インデックスファイルの最終更新日時を記録するようにしてもよい。
【００１２】
なお、ビデオカメラ１０１においては、カードスロット１０２から有線接続で非接触ＩＣ１０３の読み書きが可能であるので、装置側からメモリカード１０４の非接触ＩＣ１０３へのアクセスはカード読み書き手段３０３を経由して行い、非接触読み書き手段３０４を設けない構成としてもよく、その場合は機器側の構成を簡略化することが出来る。また逆に、メモリカード１０４内には管理情報読み書き手段２０３を設けず、非接触ＩＣ１０３へのアクセスは装置側に設けた非接触ＩＣ読み書き手段３０４を用いて行うようにしてカード側の構成を簡略化することも出来る。以下、非接触ＩＣ１０３へのアクセスは、上記いずれかの方法にて行うこととする。
【００１３】
図４は、本発明の記録メディア管理装置の一実施形態である、撮影された映像音声データをバックアップするためのバックアップ装置に関する構成図である。バックアップ装置４０１は内部にハードディスク４０２を備え、さらにカードスロット４０３と非接触ＩＣ読み取り手段４０４、動作状態を示すインジケータ４０５とを備えている。カードスロット４０３にメモリカード１０４を挿入することで、メモリカード１０４内の映像音声データをハードディスク４０２にバックアップすることが出来る。また、メモリカード１０４をカードスロット４０３に挿入せずに、非接触ＩＣ読み取り手段４０４にメモリカード１０４を近づけることで、メモリカード１０４に搭載される非接触ＩＣ１０３に記録されている管理情報を取得することが出来る。
【００１４】
図５はバックアップ装置４０１内部の、メモリカード１０４に関するブロック図である。１枚または複数枚のメモリカードが図４の様に非接触ＩＣ読み取り手段４０４にかざされた場合、非接触ＩＣ１０３に格納されている管理情報は、非接触ＩＣ読み取り手段４０４を通して取得され、システム制御手段５０１に送信されて（５０２）ハードディスク４０２に保存される。一方で、メモリカード１０４がカードスロット４０３に接続された場合、映像音声等のデータはシステム制御手段５０１を通して伝送され（５０４）、ハードディスク４０２に格納される。また、カードスロット４０３から有線接続で非接触ＩＣ１０３の読み書きが可能であるので、バックアップ装置４０１からメモリカード１０４の非接触ＩＣ１０３へ、システム制御手段５０１及びメモリカード１０４内の管理情報読み書き手段２０３を経由してアクセスし、管理情報を読み出してハードディスク４０２に格納する。またバックアップ装置４０１の動作状態は、システム制御手段５０１の制御により、インジケータ４０５に表示される。
【００１５】
なお本実施の形態では、メモリカード１０４をカードスロット４０３に接続した状態では、バックアップ装置４０１から非接触ＩＣ１０３へは有線接続でアクセスする構成としているが、メモリカード１０４内には管理情報読み書き手段２０３を設けず、非接触ＩＣ１０３へのアクセスは装置側に設けた非接触ＩＣ読み書き手段を用いて無線接続で行うようにしてカード側の構成を簡略化することも出来る。
【００１６】
図６は本実施の形態のビデオカメラ１０１、バックアップ装置４０１及びメモリカード１０４により構成されたシステムの一般的なワークフローを示したものである。ビデオカメラ１０１は、撮影した映像音声データをメモリカード１０４に記録する。次にユーザは、メモリカード１０４をビデオカメラ１０１から取り出してバックアップ装置４０１に挿入する。バックアップ装置４０１は、メモリカード１０４に記録された映像音声データをバックアップ（６０１）して、その後、メモリカード１０４を初期化する。ユーザは初期化されたメモリカード１０４を取り出して再びビデオカメラ１０１に挿入し、再利用（６０２）する。
【００１７】
図７は、バックアップ装置４０１のカードスロット４０３を用いてメモリカード１０４をバックアップした際の、バックアップ装置４０１内でのメモリカード１０４の管理情報であるメモリカード情報の様子を表したものである。この管理情報はハードディスク４０２の、バックアップ用とは別の領域に保存される。過去にバックアップが行われたメモリカードについては、各メモリカードに固有のカードＩＤ７０１、使用容量７０２及びメモリカードのインデックスファイルに格納されている最終更新ファイルの最終更新日時７０３を、メモリカード情報として記憶している。そしてバックアップを行う際にはこれらの情報を用いて、対象となるメモリカードが既にバックアップ済みのカードや空のカードではないかどうかの判定処理が行われる。
【００１８】
具体的には、メモリカード１０４を、バックアップ装置４０１の非接触ＩＣ読み取り手段４０４に近づける。すると、バックアップ装置４０１のシステム制御手段５０１が、メモリカード１０４の非接触ＩＣ１０３が保持している管理情報を読み出す。そして、読み出した管理情報と、ハードディスク４０２に記録されているメモリカード情報との比較を行い、バックアップの要否の判断を行う。
【００１９】
バックアップの要否は次のような基準で判断する。管理情報に含まれる使用容量の値が０であれば、バックアップは不要である。管理情報に含まれる使用容量が０でなく、管理情報に含まれるカードＩＤがメモリカード情報のカードＩＤに含まれていなければ、バックアップが必要である。また、使用容量が０でなく、カードＩＤがメモリカード情報に含まれていれば、管理情報に含まれる最終更新日時とメモリカード情報中の対象カードＩＤに対応する最終更新日時とを比較する。そして管理情報に含まれる最終更新日時が、メモリカード情報中の最終更新日時よりも新しければ、バックアップが必要であり、そうでなければバックアップは不要である。なお、バックアップが必要／不要の判定結果は、インジケータ４０５に表示される。
【００２０】
一般に放送局の取材では多数の映像を収録するため、記録メディアが溢れ、バックアップ済みかどうかの判定が何度も繰り返される場合が多い。本実施の形態では、判定のために、都度カードスロット４０３にメモリカード１０４を挿入して確認する必要はなく、非接触ＩＣ読み取り手段４０４に近づけるだけで判定できる。
【００２１】
さらに、非接触ＩＣ読み取り装置４０４が、同時に複数の読み取りが可能な場合は、まとめてメモリカードを近づけて、全てバックアップ済みか、全てバックアップ未完了か、あるいは両方のメモリカードが混在しているかを一度に判定することが可能となり、さらなる効率化を図れる。
【００２２】
なお、個々のメモリカード１０４を最初に使用する場合や、バックアップが完了して再度内容を消去する場合には、ビデオカメラ１０１やバックアップ装置４０１において、初期化を行う必要がある。その際には、メモリ素子２０１の内容が初期化されるが、併せて、非接触ＩＣ１０３の管理情報も、使用容量が０で最終更新日時が無効という初期化状態を示す情報が書き込まれ、メモリ素子２０１の内容と整合を図るようになっている。
【００２３】
また、本実施の形態では、記録メディアとして半導体メモリカードを用いたが、ハードディスク、テープなど他のメディアでも同様に実現可能である。
【００２４】
（実施の形態２）
以下に、図面を参照しながら本発明の実施の形態２について述べる。なお、同一の構成要素は異なる図面であっても同じ番号で示されている。
【００２５】
図８は、撮影された映像音声データを格納しているメモリカード１０４をバックアップするためのバックアップ装置に関する構成図である。バックアップ装置８０２は内部にハードディスク８０３と、メモリカード１０４を挿入するためのカードスロット８０４と、メモリカード１０４の非接触ＩＣ１０３の情報を読み出すための非接触ＩＣ読み取り手段８０５とを備えている。バックアップ装置８０２は、カードスロット８０４に挿入されたメモリカード１０４に記録されている映像音声データを、ハードディスク８０３に転送することでバックアップを行う。このとき、メモリカード１０４に搭載される非接触ＩＣ１０３の情報を取得することが出来る。また、可動式のＬＣＤモニタ８０７を備え、メモリカード１０４に格納されている映像のサムネイル画像８０８などを表示させることが出来る。
【００２６】
図９はバックアップ装置８０２内部の、メモリカード１０４に関する処理ブロック図である。メモリカード１０４が非接触ＩＣ読み取り手段８０５にかざされた場合、非接触ＩＣ１０３に格納されている管理情報は、非接触ＩＣ読み取り手段８０５を通して取得され、システム制御手段９０１に送信されて（９０２）保存される。一方で、メモリカード１０４がカードスロット８０４に接続された場合、映像音声等のデータはシステム制御手段９０１を通して伝送され（９０４）、ハードディスク８０３に格納される。
【００２７】
通常、メモリカード１０４のバックアップは、カードスロット８０４に挿入することで行われるが、その際に、内容の確認を行いたい場合があり、ＬＣＤモニタ８０７に当該メモリカード内の映像のサムネイルを表示するような手段が提供される。本実施の形態で示されるバックアップ装置８０２においては、非接触ＩＣ読取り手段８０５を通して情報を伝達できるため、サムネイル画像を、記録されているメモリカードのカードＩＤと関連付けて非接触ＩＣ１０３に格納すれば、これらの情報を非接触にて取得しＬＣＤモニタ８０７に表示させることができる。その際、カードスロット８０４に挿入する場合は１枚ずつしか内容を確認できないが、非接触ＩＣを利用する場合は、複数枚のメモリカードに記録されている画像のサムネイル画像を、記録されているメモリカードのカードＩＤと共にまとめて表示させることが可能となり、特に多数のメモリカードの中から目的の映像データが格納されたメモリカードを探し出す場合には、先ず数枚ずつのカードを調べ、見つかった場合はさらにその中から１枚ずつを確認することで、効率的に探し出すことが出来る。また、その場合は、メモリカード毎に（すなわち、サムネイル画像に関連付けられているカードＩＤ毎に）サムネイル画像の縁取りの色を変える等の表示手段を提供すると、関連する複数の映像を探す場合には１枚のメモリカードに含まれているかを一目で識別できるようになり、検索性がさらに向上する。
【００２８】
本実施の形態では、メモリカード内の情報として、サムネイル画像を表示したが、他の情報を文字や記号で表示することも可能である。例えば、ビデオカメラで映像音声データを撮影時に、そのデータの撮影日時を管理情報として非接触ＩＣに記録しておく。バックアップ装置は、メモリカードの非接触ＩＣに記録された管理情報を非接触ＩＣ読み取り手段で読み出し、読み出した管理情報から撮影日時の一覧を取り出して表示する。撮影者はこの表示を見て、撮影者の記憶から目的の映像データを探すことができる。
【００２９】
また、本実施の形態では、非接触の情報通信に、非接触ＩＣを用いたが、ＢｌｕｅｔｏｏｔｈやＷｉ−Ｆｉなどの無線技術を用いて情報を取得しても同様な効果が得られる。
【産業上の利用可能性】
【００３０】
本発明にかかる記録メディア管理方法は、記録メディアの主な内容を非接触にて取得する機能を持つため、放送局向けの、撮影機材や記録メディアのバックアップ機器に適用することで、取材時に記録メディア管理の効率化にも有用である。
【図面の簡単な説明】
【００３１】
【図１】実施の形態１における、ビデオカメラでの映像音声データ記録に関する構成図
【図２】実施の形態１における、メモリカードに関するブロック図
【図３】実施の形態１における、ビデオカメラにメモリカードを挿入して使用している状態を示すブロック図
【図４】実施の形態１における、バックアップ装置に関する説明図
【図５】実施の形態１における、バックアップ装置及びメモリカードに関するブロック図
【図６】実施の形態１における、ワークフローを示した説明図
【図７】実施の形態１における、メモリカード情報を示した説明図
【図８】実施の形態２における、バックアップ装置に関する説明図
【図９】実施の形態２における、バックアップ装置及びメモリカードに関するブロック図
【符号の説明】
【００３２】
１０１  ビデオカメラ
１０２  カードスロット
１０３  非接触ＩＣ
１０４  メモリカード
２０１  メモリ素子
２０２  コントローラ
２０３  管理情報読み書き手段
２０４  コネクタ
２０６  映像音声データ
３０１  システム制御手段
３０２  映像音声データ
３０３  カード読み書き手段
３０４  非接触ＩＣ読み書き手段
３０５  管理情報
４０１  バックアップ装置
４０２  ハードディスク
４０３  カードスロット
４０４  非接触ＩＣ読み取り手段
４０５  インジケータ
５０１  システム制御手段
５０２  管理情報
５０４  映像音声データ
７０１  カードＩＤ
７０２  使用容量
７０３  インデックスファイルの最終更新日時
８０２  バックアップ装置
８０３  ハードディスク
８０４  カードスロット
８０５  非接触ＩＣ読み取り手段
８０７  ＬＣＤモニタ
８０８  サムネイル画像
９０１  システム制御手段
９０２  管理情報
９０４  映像音声データ
【図１】
2007329705.tif 000003
【図２】
2007329705.tif 000004
【図３】
2007329705.tif 000005
【図４】
2007329705.tif 000006
【図５】
2007329705.tif 000007
【図６】
2007329705.tif 000008
【図７】
2007329705.tif 000009
【図８】
2007329705.tif 000010
【図９】
2007329705.tif 000011